(57)【要約】【課題】本体とドロアによって構成されるＰＯＳ端末装置において、容易に本体とドロアとの接続が確認できる。【解決手段】ＰＯＳ端末装置１は、一般的な機能に加えて、ドロアが接続されている状態では、検知部２ａが、動作用電圧出力部２ｃが電圧を出力していない期間の回路を監視することにより得られた電気的接続状態として、グランドの電圧を検知する。一方、ドロアが接続されていない状態は、検知部２ａは、ロック部３ｂと接続されていないため、回路が断線している状態である。このため、検知部２ａは、回路を監視することにより得られた電気的接続状態として、検知用電圧を検知する。報知部２ｂは、検知部２ａが電気的接続状態から判定した接続状態を取得することにより報知する。【選択図】図１
2020119137.tif 000002
【特許請求の範囲】
【請求項１】
全体の動作を制御する本体部と、
前記本体部と接続可能で、引出トレイと接する内面に備えられ、ソレノイドコイルにより前記引出トレイの開閉を制御するロック部を備え、内部に引出可能に引出トレイを収納するドロア部と、
を有するＰＯＳ端末装置において、
前記本体部に備えられ、前記ロック部との電気的接続状態を監視することにより、前記ドロア部の取り外しを検知する検知部を有することを特徴とするＰＯＳ端末装置。
【請求項２】
前記検知部は、前記ソレノイドコイルの一端に、検知用電圧を出力する検知用電圧出力電源を接続し、前記ソレノイドコイルの他端にグランドを接続する請求項１記載のＰＯＳ端末装置。
【請求項３】
前記電気的接続状態は、前記ソレノイドコイルの電圧であり、前記ドロア部が接続されていない場合に、前記検知用電圧になる請求項２記載のＰＯＳ端末装置。
【請求項４】
前記電気的接続状態は、前記ソレノイドコイルの電圧であり、前記ドロア部が接続されている場合に、グランド電圧になる請求項２記載のＰＯＳ端末装置。
【請求項５】
前記検知部を参照して、前記ドロア部の接続の有無を、報知手段により報知する報知部を有する、請求項１記載のＰＯＳ端末装置。
【請求項６】
前記本体部は、前記ソレノイドコイルに動作用電圧を出力する動作用電圧出力部を有し、前記動作用電圧出力部と、前記検知部の検知用電圧出力電源とが、前記ソレノイドコイルの一端に並列に接続される、請求項１記載のＰＯＳ端末装置。
【発明の詳細な説明】
【技術分野】
【０００１】
本発明は、ＰＯＳ端末装置に関する。
【背景技術】
【０００２】
スーパーマーケット、コンビニエンスストア等の小売店では、ＰＯＳ（Point Of Sale）端末装置が広く普及している。ＰＯＳ端末装置は、顧客の会計を受付けるレジスペース等で使用され、バーコードスキャナを有し、商品に付されたバーコードをスキャンして、商品コードを取得する。また、ＰＯＳ端末装置は、取得した商品コードで商品情報を検索し、商品名や販売価格等の商品情報を取得し、顧客の購入金額を確定し表示する。そして、ＰＯＳ端末装置は、顧客の支払った現金額を入力され、購入金額を引くことにより釣り銭額を確定させて表示する。釣り銭額のある場合に、ＰＯＳ端末装置は、現金の保管されたドロアの引出トレイのロック機構にロックを解除させ、引出トレイを釣り銭の取り出し可能な状態に開放する。なお、ＰＯＳ端末装置は、現金を投入すると自動で釣り銭を排出するタイプもあるが、このようなタイプであっても、イレギュラ時の対応用にドロアと引出トレイとを備えている場合が多い。
【０００３】
ＰＯＳ端末装置は、ＰＯＳ端末装置全体の動作を制御する制御部を有する本体と、引出トレイを内蔵するドロアとから構成され、設置時には本体とドロアとを、設置場所で物理的に接続することが必要である。また、本体は、ドロアに内蔵された引出トレイの開放（オープン）状態と、収納（クローズ）状態とを検知するセンサー（スイッチ）を有する。
【０００４】
開放状態とは、ドロアに備えられ、ソレノイドにより動作するロック機構のロックが解除され、ドロアから引出トレイが引出され、引出トレイに積載された現金が取り出せる状態である。収納状態は、ドロアの内部に引出トレイが収納され、引出トレイに積載された現金が取り出せず、ドロアに備えられたロック機構によりロックされた状態である。
【０００５】
開放状態から収納状態へは、引出トレイがドロア内へ押し込まれ、ロック機構によりロックされることにより遷移する。収納状態から開放状態へは、ＰＯＳ端末装置の制御部が、釣り銭の取出しや、現金の入替えに対する入力操作を受付け、ロック機構のソレノイドが動作し、ロックが解除されることにより遷移する。
【０００６】
なお、開放状態は、現金を自由に取り出せる状態であるため、セキュリティ上の都合で、ＰＯＳ端末装置の動作確認プログラム等には、ＰＯＳ端末装置を開放状態へ遷移させる機能は搭載されていない場合がある。設置時やメンテナンス時に使用されることを想定した動作確認プログラムが、ＰＯＳ端末装置に現金が搭載された後に使用され、現金が奪われる可能性があるためである。
【先行技術文献】
【特許文献】
【０００７】
【特許文献１】特開２０１７−１６７８９６号公報
【発明の概要】
【発明が解決しようとする課題】
【０００８】
しかし、従来のＰＯＳ端末装置において、引出トレイの状態を検知するセンサーによっては、引出トレイが開放状態であるか、ドロア自体が本体に接続されていないかを判別することができなかった。また、ＰＯＳ端末装置を開放状態へ遷移させる動作確認プログラムを用意することも、セキュリティ上の問題により困難であった。
【０００９】
このため、ＰＯＳ端末装置の設置時やメンテナンス時に、本体とドロアとが接続されているか否かの確認を容易に行うことが難しく、接続漏れが発生していた。
本発明はこのような点を鑑みてなされたものであり、本体とドロアとによって構成されるＰＯＳ端末装置において、容易に本体とドロアとの接続が確認できるＰＯＳ端末装置を提供することを目的とする。
【課題を解決するための手段】
【００１０】
本発明の一観点によれば、全体の動作を制御する本体部と、本体部と接続可能で、引出トレイと接する内面に備えられ、ソレノイドコイルにより引出トレイの開閉を制御するロック部を備え、内部に引出可能に引出トレイを収納するドロア部と、を有するＰＯＳ端末装置において、本体部に備えられ、ロック部との電気的接続状態を監視することにより、ドロア部の取り外しを検知する検知部を有することを特徴とするＰＯＳ端末装置が提供される。
【発明の効果】
【００１１】
開示の技術によれば、本体とドロアとによって構成されるＰＯＳ端末装置において、容易に本体とドロアとの接続が確認できる。
【図面の簡単な説明】
【００１２】
【図１】第１の実施の形態のＰＯＳ端末装置を説明するための図である。
【図２】第２の実施の形態におけるキャッシャの一例を示す外観図である。
【図３】第２の実施の形態のキャッシャを説明するための図である。
【図４】第２の実施の形態のキャッシャのロック機構の構成例を示す図である。
【図５】第２の実施の形態のキャッシャのハードウェア構成例を示す図である。
【図６】第２の実施の形態のキャッシャで実行されるドロア接続確認処理のフローチャートである。
【発明を実施するための形態】
【００１３】
以下、図面を参照して実施の形態を詳細に説明する。
［第１の実施の形態］
まず、第１の実施の形態のＰＯＳ端末装置１について、図１を用いて説明する。図１は、第１の実施の形態のＰＯＳ端末装置を説明するための図である。
【００１４】
ＰＯＳ端末装置１は、本体部２と、本体部２と接続可能なドロア部３とを有し、小売店等において、顧客の購入した商品の情報を取込んで、合計金額を算出し、会計処理を受付ける。また、ＰＯＳ端末装置１は、図１における本体部２とドロア部３とが、左右に取り外し可能に構成されており、設置時やメンテナンス時に接続される運用をする。
【００１５】
本体部２は、検知部２ａと、報知部２ｂと、動作用電圧出力部２ｃとを有し、一般的なＰＯＳ端末装置１の機能の大半を実現する。
検知部２ａは、本体部２とドロア部３との電気的接続状態を監視することにより、ドロア部３の取り外しを検知する。電気的接続状態は、例えば、検知部２ａからドロア部３へ接続される回路の電圧である。
【００１６】
検知部２ａは、検知用電圧を出力する電源を備えており、回路上の経路でドロア部３と接続されている。例えば、本体部２とドロア部３とが接続されていない場合は、検知部２ａとドロア部３とも接続されていないため、電気的接続状態として、検知部２ａに検知用電圧を検知させる。
【００１７】
報知部２ｂは、検知部２ａを参照して、本体部２と、ドロア部３との接続の有無を、報知手段により報知する。報知手段とは、例えば、ＰＯＳ端末装置１が備える表示手段であっても、音を発するスピーカであっても、本体部２にネットワークを介して接続された他の端末の備える動作確認プログラムで実現されるものであってもよい。
【００１８】
動作用電圧出力部２ｃは、ドロア部３へソレノイドコイルの動作用電圧を出力する電源と、ドロア部３の回路を介して、動作用電圧を出力する電源と接続されるグランド端子を有する。このため、本体部２と、ドロア部３とが接続されていない場合は、動作電圧を出力する電源と、グランド端子とも接続されない。
【００１９】
本体部２と、ドロア部３とが接続されている場合は、動作用電圧出力部２ｃは、動作用電圧を出力する電源が、ドロア部３と回路上の経路で接続される。動作用電圧を出力する電源は、検知部２ａの検知用電圧を出力する電源とドロア部３に対して回路上で並列に接続される。
【００２０】
また動作用電圧出力部２ｃは、動作用電圧を出力する電源が接続された回路の一端から、ドロア部３を経由して、他端にグランド端子を備える。
例えば、本体部２とドロア部３とが接続されている場合は、動作用電圧出力部２ｃとドロア部３とも接続されており、電源の経路は、ドロア部３の回路を経由して、本体部２へ帰還し、グランド端子の経路に接続されているため、検知される電圧が、グランド電圧になる。
【００２１】
ドロア部３は、引出トレイ３ａと、ロック部３ｂとを有する。また、ドロア部３は、本体部２と接続可能で、内部に現金を積載し引出可能に引出トレイ３ａを収納する。
ロック部３ｂは、ドロア部３の内部に備えられ、ソレノイドコイルを備える回路で引出トレイ３ａの開閉を制御する。また、ロック部３ｂは、本体部２とドロア部３とが接続されている場合に、検知部２ａと、動作用電圧出力部２ｃと回路上で電気的に接続される。
【００２２】
ロック部３ｂのソレノイドコイルを備える回路は、一端が検知部２ａの検知用電圧を出力する電源と、動作電圧出力部２ｃの動作電圧を出力する電源と接続されており、他端が、動作電圧出力部２ｃのグランド端子と接続されている。
【００２３】
例えば、ロック部３ｂは、本体部２とドロア部３とが接続されている場合に、動作電圧出力部２ｃから動作用電圧を受けて、ソレノイドコイルを動作させることにより、引出トレイ３ａのロックを解除する。また、ロック部３ｂは、動作電圧出力部２ｃの動作用電圧を受けていない場合に、検知部２ａから検知用電圧を受けて、電気的接続状態として、検知部２ａは、グランド電圧を検知する。
【００２４】
このようなＰＯＳ端末装置１による、本体部２とドロア部３の接続状態の検出の流れについて説明する。まず、ＰＯＳ端末装置１において、本体部２と、ドロア部３とが接続されている状態を考える。
【００２５】
本体部２の動作用電圧出力部２ｃは、ロック部３ｂに引出トレイ３ａのロックを解除させる場合に、動作電圧出力部２ｃの電源より、動作用電圧を送る。ロック部３ｂは、回路上の経路から、ソレノイドコイルを備える回路で動作用電圧を受けて、ソレノイドコイルを動作させることにより、引出トレイ３ａのロックを解除する。これは従来のＰＯＳ端末装置も有する機能である。
【００２６】
ここで、本体部２の検知部２ａは、本体部２とドロア部３との接続を確認したい場合に、検知部２ａの電源より、検知用電圧を送る。ロック部３ｂは、回路上の経路から、ソレノイドコイルを備える回路で検知用電圧を受けるが、検知用電圧は、動作用電圧未満であるため、引出トレイ３ａのロックは解除されない。また、ロック部３ｂは、本体部２の動作用電圧出力部２ｃのグランド端子と接続されているため、検知部２ａに監視される電気的接続状態は、グランド電圧が検知される。
【００２７】
一方、ＰＯＳ端末装置１において、本体部２と、ドロア部３とが接続されていない状態を考える。本体部２の検知部２ａは、本体部２とドロア部３との接続を確認したい場合に、検知部２ａの電源より、検知用電圧を送るのは同様である。しかし、ロック部３ｂは、検知部２ａと接続されておらず、検知部２ａに監視される電気的接続状態は、検知用電圧が検知される。
【００２８】
検知部２ａは、電気的接続状態として、グランド電圧を検知した場合に、本体部２と、ドロア部３とが接続されていることを判定し、検知用電圧を検知した場合に、本体部２と、ドロア部３とが接続されていないことを判定する。
【００２９】
報知部２ｂは、検知部２ａから本体部２とドロア部３とが、接続されているか否かの接続状態を取得し、報知する。
これにより、ＰＯＳ端末装置１においては、本体部２とドロア部３との電気的接続状態を監視することにより、今まで検知することができなかった本体部２と、ドロア部３とが接続されているか否かを検知することができる。また、従来の動作用電圧出力部２ｃがソレノイドコイルを動作させるのに使用していた回路をそのまま流用することにより、低コストで本体部２とドロア部３との接続が確認することができる。
【００３０】
［第２の実施の形態］
第２の実施の形態では、第１の実施の形態について、スーパーマーケット、コンビニエンスストア等の小売店で用いられる場合をより具体的に説明する。まず、第２の実施の形態のキャッシャ１０について、図２を用いて説明する。図２は、第２の実施の形態におけるキャッシャの一例を示す外観図である。
【００３１】
キャッシャ１０は、本体筐体２０と、ドロア部３０と、引出トレイ４０とを有する。また、キャッシャ１０は、第１の実施の形態におけるＰＯＳ端末装置１の一部に該当し、現金を収納し、レジ等における会計業務に使用される。
【００３２】
本体筐体２０は、キャッシャ１０の基本的機能を実現する表示部と入力受付部と制御部等とを含むが、今回の発明に関係ない範囲は、記載を省略している。本体筐体２０と、ドロア部３０とは、キャッシャ１０の設置時に接続する必要がある。
【００３３】
ドロア部３０は、内部に硬貨と紙幣との現金や、商品券等を保管する引出トレイ４０を収納し、現金等のやり取りが必要になった際に、本体筐体２０の操作により、引出トレイ４０のロックを解除される。ドロア部３０は、引出トレイ４０を弾性力等により、開放する方向に付勢しており、ロックを解除することで、引出トレイ４０を開放状態に遷移することができる。また、ドロア部３０は、内に押し込まれることにより、引出トレイ４０を収納し、一番奥まで押し込まれることにより収納状態に遷移する。
【００３４】
引出トレイ４０は、いくつかのスペースに区切られており、取出しやすい態様で、硬貨と紙幣との現金や商品券を保持する。
次に第２の実施の形態のキャッシャの構造について、図３と図４とを用いてより具体的に説明する。図３は、第２の実施の形態のキャッシャを説明するための図である。図４は、第２の実施の形態のキャッシャのロック機構の構成例を示す図である。
【００３５】
図３は、キャッシャ１０の回路構成を模式的に表した図であり、キャッシャ１０は、本体筐体２０と、ドロア部３０と、引出トレイ４０とを有する。
本体筐体２０は、オープン信号チェックポート２０ａと、ソレノイドドライブ信号ポート２０ｂと、ドロアチェック信号ポート２０ｃと、グランドポート２０ｄと、制御部２１を有する。
【００３６】
オープン信号チェックポート２０ａと、ソレノイドドライブ信号ポート２０ｂと、グランドポート２０ｄとは、今回の発明に限らず、従来より典型的なキャッシャ１０が備えるハードウェアである。また、オープン信号チェックポート２０ａと、ソレノイドドライブ信号ポート２０ｂと、ドロアチェック信号ポート２０ｃと、グランドポート２０ｄとは、キャッシャ１０の設置時に本体筐体２０とドロア部３０とが接続されることにより、ドロア部３０と接続される。
【００３７】
オープン信号チェックポート２０ａは、引出トレイ４０が開放状態か、収納状態かのチェック機能を有し、オープン信号を出力する。
ソレノイドドライブ信号ポート２０ｂは、ソレノイドドライブ信号を出力し、ソレノイドドライブ信号がオンの時に、引出トレイ４０の収納状態時に引出トレイ４０をロックするために使用されるロック機構（ソレノイドコイル）３０ｂを動作させる機能を有する。
【００３８】
ドロアチェック信号ポート２０ｃは、ドロアチェック信号を出力し、ソレノイドドライブ信号ポート２０ｂと同じ回路に並列で接続され、ソレノイドドライブ信号ポート２０ｂと共にロック機構（ソレノイドコイル）３０ｂの一端に接続されている。詳細については後述する。
【００３９】
制御部２１は、本体筐体２０を制御する。
グランドポート２０ｄは、ロック機構（ソレノイドコイル）３０ｂの他端に接続され、グランド（ＧＮＤ）の電位を保持している。詳細については後述する。
【００４０】
ドロア部３０は、スイッチ３０ａと、ロック機構（ソレノイドコイル）３０ｂとを有し、引出トレイ４０を内部に収納する。
スイッチ３０ａは、オープン信号チェックポート２０ａと接続され、引出トレイ４０の開放状態と収納状態とを機械的に検知する。また、スイッチ３０ａの状態は、引出トレイ４０が、収納状態の際にオン状態で、開放状態の際にオフ状態である。
【００４１】
さらにスイッチ３０ａの状態は、オープン信号チェックポート２０ａに検出され、スイッチ３０ａが、オン状態の際に、引出トレイ４０の収納状態を検出され、オフ状態の際に、引出トレイ４０の開放状態を検出される。
【００４２】
図４に示すようなロック機構（ソレノイドコイル）３０ｂは、電圧を受けることにより動作するソレノイド３０ｂ１と、根本側に接続されたソレノイド３０ｂ１により稼働し、先端側で引出トレイ４０のロック爪４０ａと固定されるロックレバー３０ｂ４とを有する。ソレノイド３０ｂ１は、ソレノイドコイル３０ｂ２と、可動鉄芯３０ｂ３とを有する。
【００４３】
ロック機構（ソレノイドコイル）３０ｂは、ソレノイドドライブ信号ポート２０ｂから、ソレノイド３０ｂ１の動作時のみ電圧が加えられることにより、ソレノイド３０ｂ１が動作し、ロックレバー３０ｂ４を図４に示す点線の位置に動作させる。引出トレイ４０は、ロック爪４０ａがロックレバー３０ｂから外れると、図４上の右方向である開放方向へ付勢されているために移動し、開放状態へ遷移する。
【００４４】
ロック機構（ソレノイドコイル）３０ｂは、ソレノイドドライブ信号ポート２０ｂからの信号の出力が止まると、ソレノイド３０ｂ１の動作が停止し、ロックレバー３０ｂが再び図４に示す実線の位置に戻る。この状態で、再度引出トレイ４０が押し込まれると、今度は、ロックレバー３０ｂ先端の外から、ロック爪４０ａがぶつかることになる。ロックレバー３０ｂの形状は、傾斜しているため、ロック爪４０ａは、ロックレバー３０ｂを図４上で上方向に押し開き、ロック爪４０ａとロックレバー３０ｂが元の位置関係に戻ることにより、再び収納状態へ遷移する。
【００４５】
引出トレイ４０は、ロック機構（ソレノイドコイル）３０ｂの動作によりロックが解除されると、図３における右方向へ付勢された弾性力等により、開放状態へ遷移する。また、引出トレイ４０は、図３における左方向へ押し込まれることにより収納状態へ遷移する。
【００４６】
上記のようなキャッシャ１０において、ソレノイドドライブ信号ポート２０ｂと、ドロアチェック信号ポート２０ｃと、グランドポート２０ｄと、ロック機構（ソレノイドコイル）３０ｂとを用いて、本体筐体２０と、ドロア部３０との接続状態が検知される処理の流れを説明する。
【００４７】
ソレノイドドライブ信号ポート２０ｂと、ドロアチェック信号ポート２０ｃとは、並列にロック機構（ソレノイドコイル）３０ｂの一端に接続されており、ロック機構（ソレノイドコイル３０ｂ）の他端には、グランドポート２０ｄが接続されている。
【００４８】
ここで、ソレノイドドライブ信号ポート２０ｂから信号が出力されていない際に、ドロアチェック信号ポート２０ｃは、ソレノイドをドライブさせる電圧以下の基準電圧を出力し、ロック機構（ソレノイドコイル）３０ｂと接続された回路の電圧を計測する。
【００４９】
ドロアチェック信号ポート２０ｃは、ドロア部３０が接続されている場合に、グランドの電圧を計測する。ドロアチェック信号ポート２０ｃが出力した基準電圧は、ロック機構（ソレノイドコイル）３０ｂの回路を経由して、グランドポート２０ｄに落ちるためである。
【００５０】
一方、ドロアチェック信号ポート２０ｃは、ドロア部３０が接続されていない場合に、基準電圧を計測する。ドロアチェック信号ポート２０ｃが出力した基準電圧は、ロック機構（ソレノイドコイル）３０ｂの回路を経由して、グランドポート２０ｄに到達できないためである。
【００５１】
つまり、グランドポート２０ｄは、ソレノイドドライブ信号ポート２０ｂから信号が出力されない状態で、ドロアチェック信号ポート２０ｃから信号が出力された場合に、ロック機構（ソレノイドコイル）３０ｂの回路の電圧をグランドまで低下させる。
【００５２】
一方、グランドポート２０ｄは、ドロア部３０と本体筐体２０とが接続されていない場合は、ロック機構（ソレノイドコイル）３０ｂの回路に接続されないため、電圧に影響を与えない。
【００５３】
次に、キャッシャ１０のハードウェア構成例について、図５を用いて説明する。図５は、第１の実施の形態のキャッシャのハードウェア構成例を示す図である。
図５に示すようなキャッシャ１０は、制御部１１、ディスプレイ１２、キーボード１３、スキャナ１４、プリンタ１５、カードリーダ１６およびドロア部３０を備える。なお、ドロア部３０については説明済みのため、説明を省略する。
【００５４】
制御部１１は、ＣＰＵ１１ａによって装置全体が制御されている。ＣＰＵ１１ａには、バス１１ｇを介してＲＡＭ１１ｂと複数の周辺機器とが接続されている。ＲＡＭ１１ｂは、制御部１１の主記憶装置として使用される。ＲＡＭ１１ｂには、ＣＰＵ１１ａに実行させるＯＳのプログラムや制御用のアプリケーションプログラムが収納される。また、ＲＡＭ１１ｂには、ＣＰＵ１１ａによる処理に必要な各種データが収納される。
【００５５】
制御用のアプリケーションプログラムとしては、本体筐体２０と、ドロア部３０との接続確認が可能な動作確認プログラムが収納されてもよい。
バス１１ｇに接続されている周辺機器としては、ＨＤＤ１１ｃ、通信インタフェース１１ｄ、グラフィック制御部１１ｅ、入出力インタフェース１１ｆがある。ＨＤＤ１１ｃは、制御部１１の補助記憶装置として使用される。ＨＤＤ１１ｃには、ＯＳプログラム、アプリケーションプログラムが収納される。また、ＨＤＤ１１ｃには、ＣＰＵ１１ａによる処理に必要な各種データが収納される。
【００５６】
なお、補助記憶装置としては、ＳＳＤなどの他の種類の不揮発性記憶装置を使用することもできる。
グラフィック制御部１１ｅには、ディスプレイ１２が接続されている。グラフィック制御部１１ｅは、ＣＰＵ１１ａからの命令に従って処理中の画像をディスプレイ１２に表示させる。
【００５７】
入出力インタフェース１１ｆには、キーボード１３、スキャナ１４、プリンタ１５、カードリーダ１６およびドロア部３０が接続されている。入出力インタフェース１１ｆは、キーボード１３、スキャナ１４、プリンタ１５、カードリーダ１６およびドロア部３０から送られてくる信号をバス１１ｇを介してＣＰＵ１１ａに送信する。
【００５８】
通信インタフェース１１ｄは、ネットワーク７０に接続されており、データの送受信を行う。
キーボード１３は、いわゆる金額入力用のテンキーを主とするものであってもよい。
【００５９】
スキャナ１４は、キャッシャ１０で受付け、精算される商品に添付され、例えば商品名と、値段を含むバーコードの読取に使用される。
プリンタ１５は、キャッシャ１０で受付け、例えば、精算後に発行されるレシートの印刷に使用される。
【００６０】
カードリーダ１６は、キャッシャ１０で受付け、例えば精算の決済に使用されるクレジットカードと、デビットカードとの読取に使用される。
以上のようなハードウェア構成によって、本実施の形態のキャッシャ１０の処理機能を実現することができる。
【００６１】
次に、上記構成を有するキャッシャ１０で、ドロアの接続の確認をするドロア接続確認処理について説明する。図６は、第２の実施の形態のキャッシャで実行されるドロア接続確認処理のフローチャートである。
【００６２】
図６に示すようなドロア接続確認処理は、主に設置時やメンテナンス時に実行され、本体筐体２０とドロア部３０とが接続されているか否かを確認する処理である。なお、ドロア接続確認処理においては、引出トレイ４０の状態はどのような状態であってもよい。
【００６３】
ドロア接続確認処理の開始時点においては、本体筐体２０、または、本体筐体２０とネットワークで接続された管理用の端末上から、動作確認プログラム等により、ドロア部３０との接続確認をしようとしている状態である。
【００６４】
［ステップＳ１１］本体筐体２０の制御部２１は、ソレノイドドライブ信号がオフか否かを判定する。ソレノイドドライブ信号は、引出トレイ４０を開放するために、ロック機構（ソレノイドコイル）３０ｂのソレノイド３０ｂ１を動作させる際の短時間だけオンになり、それ以外はオフになる。本体筐体２０の制御部２１は、ソレノイドドライブ信号ポート２０ｂがソレノイドドライブ信号を出力していない場合に、ソレノイドドライブ信号がオフであることを判定する。
【００６５】
本体筐体２０の制御部２１は、ソレノイドドライブ信号がオフであることを判定すると、次の処理は、ステップＳ１２へ進められる。本体筐体２０の制御部２１は、ソレノイドドライブ信号がオフでないことを判定すると、オフになるまで待ち受ける。
【００６６】
［ステップＳ１２］本体筐体２０の制御部２１は、ドロアチェック信号がＬｏｗか否かを判定する。本体筐体２０の制御部２１は、ドロアチェック信号ポート２０ｃのドロアチェック信号出力後に、ドロアチェック信号ポート２０ｃで計測される電圧が、グランド電圧である場合に、ドロアチェック信号がＬｏｗであることを判定する。
【００６７】
本体筐体２０の制御部２１は、ドロアチェック信号がＬｏｗであることを判定すると、次の処理は、ステップＳ１４へ進められる。また、本体筐体２０の制御部２１は、ドロアチェック信号がＬｏｗでないことを判定すると、次の処理は、ステップＳ１３へ進められる。
【００６８】
［ステップＳ１３］本体筐体２０の制御部２１は、ドロア未接続を判定する。ドロア未接続の状態とは、本体筐体２０と、ドロア部３０とか物理的に接続されておらず、キャッシャ１０が正常に動作しない状態である。また、本体筐体２０の制御部２１は、ドロア未接続の判定をディスプレイ１２へ表示、または、動作確認プログラム等へ報知する。
【００６９】
［ステップＳ１４］本体筐体２０の制御部２１は、ドロア接続を判定する。ドロア接続の状態とは、本体筐体２０と、ドロア部３０とが物理的に接続されており、キャッシャ１０が、正常に動作する状態である。また、本体筐体２０の制御部２１は、ドロア接続の判定をディスプレイ１２へ表示、または、動作確認プログラム等へ報知する。
【００７０】
以上により、キャッシャ１０でドロアの接続確認をするドロア接続確認処理が終了する。
上記のキャッシャ１０では、本体筐体２０と、ドロア部３０と、引出トレイ４０とを有する。本体筐体２０と、ドロア部３０との接続前は、本体筐体２０から出力されたソレノイドドライブ信号がオフの状態で、ドロアチェック信号の基準電圧が出力された場合、ドロアチェック信号の基準電圧が、本体筐体２０のドロアチェック信号ポート２０ｃで測定されることにより、ドロア部３０の未接続が判定される。本体筐体２０とドロア部３０との間が断線しているため、基準電圧がそのまま測定されるためである。
【００７１】
本体筐体２０は、ロック機構（ソレノイドコイル）３０ｂをドライブさせるための回路を使用して、ソレノイドドライブ信号がオフの状態で、ドロアチェック信号として回路へ基準電圧を出力して電圧を測定する。本体筐体２０は、基準電圧が測定された場合に、ドロア部３０が接続されていないことを判定する。一方、グランド電圧が測定された場合に、ドロア部３０が接続されていることを判定する。
【００７２】
これにより、本体筐体２０または、本体筐体２０にネットワークで接続された端末上の動作確認プログラムにより、キャッシャ１０の本体筐体２０とドロア部３０とが接続されているか否かを、目視で直接に確認しなくても判定することができる。さらに、設置時やメンテナンス時で、複数のキャッシャ１０が存在する場合であっても、どのキャッシャ１０が本体筐体２０とドロア部３０との接続済みか否かを容易に確認することが可能であり、設置時の作業ミスをチェック診断することができる。
【００７３】
また、不具合発生時にも、ドロア部３０の接続状態を迅速に確認することができる。
【符号の説明】
【００７４】
１  ＰＯＳ端末装置
２  本体部
２ａ  検知部
２ｂ  報知部
２ｃ  動作用電圧出力部
３  ドロア部
３ａ  引出トレイ
３ｂ  ロック部
１０  キャッシャ
１１  制御部
１１ａ  ＣＰＵ
１１ｂ  ＲＡＭ
１１ｃ  ＨＤＤ
１１ｄ  通信インタフェース
１１ｅ  グラフィック制御部
１１ｆ  入出力インタフェース
１１ｇ  バス
１２  ディスプレイ
１３  キーボード
１４  スキャナ
１５  プリンタ
１６  カードリーダ
２０  本体筐体
２０ａ  オープン信号チェックポート
２０ｂ  ソレノイドドライブ信号ポート
２０ｃ  ドロアチェック信号ポート
２０ｄ  グランドポート
２１  制御部
３０  ドロア部
３０ａ  スイッチ
３０ｂ  ロック機構（ソレノイドコイル）
３０ｂ１  ソレノイド
３０ｂ２  ソレノイドコイル
３０ｂ３  可動鉄芯
３０ｂ４  ロックレバー
４０  引出トレイ
４０ａ  ロック爪
７０  ネットワーク
【図１】
2020119137.tif 000003
【図２】
2020119137.tif 000004
【図３】
2020119137.tif 000005
【図４】
2020119137.tif 000006
【図５】
2020119137.tif 000007
【図６】
2020119137.tif 000008